(57)【要約】【課題】洗面キャビネットの洗面器の交換が容易であり、洗面器を取り外すときにベースキャビネットに損傷を与えることの無い構造を提供する。【解決手段】洗面キャビネットＫの洗面器１は周縁部１ａの下面１ｂを平坦に形成する。接着補助具１０は水平部１０ａと垂直部１０ｂとから成る断面Ｌ字形の比較的長尺な部材である。接着補助具１０をキャビネット側板２ｂの上端部２ａにネジ２０で固定する。次いで接着補助具１０の水平部１０ａ上面に接着剤Ｒを塗布したのち洗面器１を載置することにより強固に接合され、優れた取付強度を発揮する。洗面器１を交換するときには、ネジ２０を取り去って接着補助具１０をベースキャビネット２から分離可能とする。ベースキャビネット２には接着剤が付着していないから、取り外しのときに損傷を受けない。洗面器１と接着補助具１０との分離が容易なので分別廃棄が確実になる。【選択図】      図１
2006061459.tif 000002
【特許請求の範囲】
【請求項１】
洗面器をベースキャビネットに載設して成る洗面キャビネットであって、ベースキャビネットを構成する側板の上端部に接着補助具が着脱可能に固定され、該接着補助具に洗面器が接着されていることを特徴とする洗面キャビネット。
【請求項２】
洗面器をベースキャビネットに載設して成る洗面キャビネットであって、ベースキャビネットを構成する幕板及び背板の上端部に接着補助具が着脱可能に固定され、該接着補助具に洗面器が接着されていることを特徴とする洗面キャビネット。
【請求項３】
前記接着補助具は、前記ベースキャビネットを構成する側板又は幕板又は背板の上端部にネジによって着脱可能に固定されている請求項１又は２に記載する洗面キャビネット。
【請求項４】
前記接着補助具は、前記洗面器を接着させるための水平部と、ネジを介して前記ベースキャビネットを構成する側板又は幕板又は背板の上端部に固定させるための垂直部とを有しており、少なくとも前記水平部が、前記垂直部を固定した前記ベースキャビネットを構成する側板又は幕板又は背板に沿って長尺である請求項１、２又は３のいずれかに記載する洗面キャビネット。
【発明の詳細な説明】
【技術分野】
【０００１】
本発明は、洗面器とベースキャビネットとから成る洗面キャビネットに関し、洗面器又はベースキャビネットの交換作業が容易であり、洗面器をベースキャビネットから取り外すときには両者の分離が簡単に行え、その際、ベースキャビネットに対し損傷が生じることの無い構造の提供を目的とする。
【背景技術】
【０００２】
洗面器をベースキャビネットの上に載設してなる洗面キャビネットの製作にあたり、洗面器をキャビネットに取り付ける手段として、従来、次のような技術が知られている。一つは、キャビネットの上端部に接着剤を塗布し、その上に洗面器を載置して固定する技術である。例えば特許文献１に、キャビネットにおける幕板の上端部に木片を接着し、この木片の上に設けた接着剤充填部材に充填した接着剤で、洗面器を取り付けることが記載されている。
【０００３】
もう一つの知られている技術は、洗面器とキャビネットとをボルトを用いて固定する技術であり、例えば特許文献２に、キャビネットの上部に固定した取付金具にボルトを装着し、このボルトを洗面器の下面に埋め込んだナットに螺合させて締め付けることにより、洗面器とキャビネットとを連結することが記載されいる。
【特許文献１】実開平５−９３３６９号公報
【特許文献２】特開２００２−２６３０１６公報
【発明の開示】
【発明が解決しようとする課題】
【０００４】
洗面器の取付手段に関する前記従来技術は、以下に述べるような問題を有している。前者の接着剤により固定するものでは、洗面キャビネットの洗面器を破損や老朽化等のために交換するときに、洗面器をキャビネットから分離するのにかなりの手間と労力とを要するという欠点がある。また、分離作業時にキャビネットを傷つけるおそれがある。さらにキャビネットの一部が欠損して洗面器に付着することが有り、このような状態のものは、十全な分別廃棄を達成できないという問題を生じさせている。
【０００５】
他方、後者のボルトによる固定構造を採用したものでは、必要とする部材点数が多く構造が比較的複雑なため、材料コスト・製作コストが嵩むという問題がある。また、洗面器の組み付けに際し、ボルトとナットとの位置合わせが必要なため、作業が繁雑である。さらに、洗面器下面に埋設するナットの取付強度が低い場合があるので、洗面器の取付強度が充分に得られないおそれがあった。
【課題を解決するための手段】
【０００６】
前記従来の問題点を解決するために本発明が創案した洗面キャビネットの特徴とするところは、洗面器をベースキャビネットに載設して成り、ベースキャビネットを構成する側板の上端部に接着補助具を着脱可能に固定し、該接着補助具に洗面器を接着したことである。なお接着補助具の固定位置は、幕板及び背板とすることも可能である。
【０００７】
なお前記接着補助具は、前記ベースキャビネットを構成する側板又は幕板又は背板の上端部に、ネジによって着脱可能に固定する構成を採用することが可能である。このネジは複数設けることが望ましいが、単数個とすることも可能である。
【０００８】
さらに前記接着補助具は、前記洗面器を接着させるための水平部と、ネジを介して前記ベースキャビネットを構成する側板又は幕板又は背板の上端部に固定させるための垂直部とを有しており、少なくとも前記水平部が、前記垂直部を固定した前記ベースキャビネットを構成する側板又は幕板又は背板に沿って長尺であるものとすることができる。
【発明の効果】
【０００９】
本発明に係る洗面キャビネットは、洗面器を、ベースキャビネットに対し着脱可能とした接着補助具を介して、ベースキャビネットに取り付けたものであるから、部材点数が少なくて済み、構成も簡単なので製作が容易である。従って、低コストで洗面キャビネット製品を提供することができる。洗面器の接着補助具に対する接着面積を広く設定できるため、大きい接着強度が得られるので、堅固な洗面キャビネットを製作できる。
【００１０】
洗面器又はベースキャビネットを交換する際には、接着補助具を取り外すことで簡単に洗面器を分離できる。従って、洗面器の取り外し作業が容易になる。また、ベースキャビネットには接着剤を直に付着させない構造であるから、ベースキャビネットに損傷を与えるおそれがない。さらに接着補助具を金属製又はプラスチック製等の比較的剛性の大きい材質とすれば、洗面器との分離が容易になり、依って分別廃棄が確実にできる。
【発明を実施するための最良の形態】
【００１１】
［第１の実施形態］
図１は本発明の第１の実施形態を示すものであって、洗面キャビネットＫを構成する洗面器１、ベースキャビネット２、及び、接着補助具１０を分解して示す斜視図である。洗面器１は、ベースキャビネット２の上端部２ａに載置したときに安定な状態を得ると同時に接着剤が均一に塗布されるように、周縁部１ａの下面１ｂをなるべく平坦に形成することが望ましい。
【００１２】
本例の接着補助具１０は、水平部１０ａと垂直部１０ｂとから成る断面Ｌ字形の比較的長尺な部材であって、垂直部１０ｂの適所には、ネジ挿通用の開孔１０ｃが形成されている。材質は、金属・プラスチックなどの比較的剛性の大きいものが採用されるが、条件によっては木質製・セラミック製も採用可能である。なお、接着補助具１０の固定位置は、ベースキャビネット２を構成する左右の側板２ｂ，２ｂとするほか、前側の幕板２ｃや、後ろ側の背板２ｄとすることも妨げない。
【００１３】
洗面器１をベースキャビネット２に取り付けるには、はじめに接着補助具１０を、ベースキャビネット２における側板２ｂの上端部２ａに固定する。必要に応じ接着補助具１０を、幕板２ｃ又は背板２ｄのいずれか一方あるいは両方に付加的に固定してもよい。さらに条件によっては、接着補助具１０を、幕板２ｃ及び背板２ｄのみに固定する態様も採用可能である。接着補助具１０の固定手段は、本例では、図２（Ａ）に示すように、外面側から螺合させたネジ２０によっている。従って、製品の美観性を向上させたい場合は、所望によりネジ２０の頭部に化粧カバー３０を装着する。次いで、接着補助具１０の水平部１０ａの上面に接着剤Ｒを塗布したのち、洗面器１を上から載置する。これにより洗面器１は、その周縁部１ａにおける平坦な下面１ｂが、接着補助具１０の水平部１０ａと接着剤Ｒにより強固に接合され、優れた取付強度を発揮する。なお接着剤に代えて、両面テープ等により、洗面器１を接着補助具１０に接着することも差し支えない。
【００１４】
洗面器１又はベースキャビネット２を破損・老朽化等のため交換することが必要になったときには、前記ネジ２０を取り去って、接着補助具１０をベースキャビネット２から分離可能とすることにより、洗面器１をベースキャビネット２から容易に取り外せる。ベースキャビネット２には接着剤が付着していないから、取り外しのときにベースキャビネット２に損傷を与えることがない。取り外した洗面器１には接着補助具１０が接着剤Ｒで付着しているが、接着補助具１０を金属製又はプラスチック製の比較的剛性の高い材質とすることにより、洗面器１から分離するのを容易にできる。従って分別廃棄が確実になる。
【００１５】
［第２の実施形態］
図３に、本発明に使用する接着補助具１０の異なる実施形態を示す。本例の接着補助具１０は、同図（Ａ）に示す如く、水平部１０ａの中間位置から垂直部１０ｂを形成してＴ字形に構成した点、及び、同図（Ｂ）に示すように、ベースキャビネット２の内側から螺合したネジ２０により側板２ｂへ固定した点が前記と異なっている。
【００１６】
本実施形態の接着補助具１０は、洗面器１との接着面積が広いので、より大きい接着強度が得られる。また、接着補助具１０を固定するネジ２０がベースキャビネット２の外側から見えないから、化粧カバーが不要である。
【００１７】
なお図４（Ａ）に示すように、洗面器１の接着後、当該洗面器１とベースキャビネット２の内側面との間に形成される空間Ｓが狭く、ネジの取り外しにドライバーを使用できないことがある。この場合は、接着補助具１０をベースキャビネット２に固定するネジを、同図（Ｂ）に示す如きナット頭のネジ２０Ａとし、スパナ等の工具で当該ネジ２０Ａの取り外しを行えばよい。あるいは、同図（Ｃ）に示す如き摘み付きネジ２０Ｂを用い、手回しによって当該ネジ２０Ｂを取り外せるようにすることも可能である。
【００１８】
［第３の実施形態］
図５に示すように、接着補助具１０をベースキャビネット２の側板２ｂへネジ２０で固定する箇所を、同側板２ｂにおける前後端面Ｘ，Ｙとすることも可能である。この場合、接着補助具１０には、水平部１０ａにおける長手方向の両端部に、ネジ２０を挿通させる開孔１０ｃを有する垂下部１０ｄ，１０ｄを形成する。
【００１９】
［第４の実施形態］
図６は、ネジによらずに、接着補助具１０をベースキャビネット２に固定する一手段を例示するものである。本例の接着補助具１０は、水平部１０ａを挟む両側縁部より垂下部１０ｂ，１０ｅを垂下形成する。両垂下部１０ｂ，１０ｅのうち、ベースキャビネット２の内側に位置する垂下部１０ｅは、開孔１０ｅ−２を有する固定片部１０ｅ−１と、その下端に設けた傾斜片部１０ｅ−３とで形成する。他方、ベースキャビネット２における側板２ｂの内面上方には、接着剤等で固着したダボ等より成る係止突起２１を設ける。
【００２０】
かかる構成の接着補助具１０は、ベースキャビネット２の側板２ｂへ、該側板２ｂを垂下部１０ｂ，１０ｅの間に挟むように上方から装着し、下方へ押し込む。すると、垂下部１０ｅ下端の傾斜片部１０ｅ−３が係止突起２１により押し広げられたのち、図６（Ｂ）に示す如く、上記係止突起２１が固定片部１０ｅ−１の開孔１０ｅ−２に嵌り込む。これにより、接着補助具１０はベースキャビネット２に固定され、容易には移動したり分離することがない。
【００２１】
洗面器１をベースキャビネット２から取り外す際には、接着補助具１０の内側の垂下部１０ｅ下端に形成した傾斜片部１０ｅ−３をつかむなどして、この垂下部１０ｅ全体を側板２ｂから引き離し、場合によっては塑性変形させ、係止突起２１との係合を解消した状態とすればよい。
【００２２】
［第５の実施形態］
図７に例示するように、接着補助具１０は、ベースキャビネット２の内側からネジ２０等で固定した板状材で構成することも可能である。この場合、板状の接着補助具１０は、図７（Ｂ）に示す如く、その上端面Ｚを、ベースキャビネット２の上端部２ａよりもわずかに上方へ突出させる。また、洗面器１を接着する接着剤Ｒがベースキャビネット２の上端部２ａまで流動する場合に備え、ベースキャビネット２の上端部２ａに、接着剤の付着防止用マスキングテープ２２を貼着することが望ましい。
【００２３】
［第６の実施形態］
図８に示すように、洗面器１の周縁部１ａにおける端縁部にエプロン部１ｃが垂設されている場合、このエプロン部１ｃの裏面側で、接着補助具１０との接着をなすことも可能である。そのため本例では、接着補助具１０に、ベースキャビネット２の上端部を挟む垂下部１０ｂ，１０ｆを形成し、一方の垂下部１０ｆに接着剤を塗布し、エプロン部１ｃで洗面器１を接着するものとした。
【図面の簡単な説明】
【００２４】
【図１】本発明に係る洗面キャビネットの一実施形態に関し、洗面器・接着補助具・ベースキャビネットを分離して示す斜視図である。
【図２】本発明の第１の実施形態に関するものであって、図（Ａ）は洗面器・接着補助具・ベースキャビネットを分解して示す要部の正面断面図、図（Ｂ）は洗面器を接着補助具を介してベースキャビネット上に組み付けた状態を示す要部の正面断面図である。
【図３】本発明の第２の実施形態に関するものであって、図（Ａ）は洗面器・接着補助具・ベースキャビネットを分解して示す要部の正面断面図、図（Ｂ）は洗面器を接着補助具を介してベースキャビネット上に組み付けた状態を示す要部の正面断面図である。
【図４】本発明の第２の実施形態の異なる態様に関するものであって、図（Ａ）は洗面器を接着補助具を介してベースキャビネット上に組み付けた状態を示す要部の正面断面図、図（Ｂ）は接着補助具をベースキャビネットに固定するネジを示す斜視図、図（Ｃ）は同ネジの異なる例を示す斜視図である。
【図５】本発明の第３の実施形態に関するものであって、接着補助具とベースキャビネットを分解して示す斜視図である。
【図６】本発明の第４の実施形態に関するものであって、図（Ａ）は接着補助具とベースキャビネットを分解して示す斜視図、図（Ｂ）は洗面器を接着補助具を介してベースキャビネット上に組み付けた状態を示す要部の正面断面図である。
【図７】本発明の第５の実施形態に関するものであって、図（Ａ）は洗面器を接着補助具を介してベースキャビネット上に組み付けた状態を示す要部の正面断面図、図（Ｂ）は洗面器を接着補助具から分離して示す拡大した要部の正面断面図である。
【図８】本発明の第６の実施形態に関するものであって、洗面器を接着補助具を介してベースキャビネット上に組み付けた状態を示す要部の正面断面図である。
【符号の説明】
【００２５】
Ｋ…洗面キャビネット  Ｒ…接着剤  １…洗面器  １ａ…周縁部  ２…キャビネット  ２ａ…上端部  ２ｂ…側板  １０…接着補助具  １０ａ…水平部  １０ｂ…垂直部  １０ｃ…開孔  ２０…ネジ
【図１】
2006061459.tif 000003
【図２】
2006061459.tif 000004
【図３】
2006061459.tif 000005
【図４】
2006061459.tif 000006
【図５】
2006061459.tif 000007
【図６】
2006061459.tif 000008
【図７】
2006061459.tif 000009
【図８】
2006061459.tif 000010